(57)【要約】      （修正有）【課題】衛生的であり、且つ簡単に鼻洗浄ができる鼻洗浄器を提供する。【解決手段】洗浄液容器１０と、液噴出装置３０とを有し、前記洗浄液容器は、上端に延設される頚部１１と、該頚部の内部に形成されると共に、該洗浄液容器の内部と連通する上開口と、該頚部に着脱可能に取り付けられる上蓋２０と、該上蓋に形成される気圧調整孔と、該洗浄液容器の下端に形成される下ねじ山部１２と、該下ねじ山部の下端に形成される下開口とを備える。また、前記液噴出装置は、該洗浄液容器の下端の下ねじ山部に螺設されると共に、周壁を有する螺設チューブ３１と、該螺設チューブの周壁から斜め上方へ延出すると共に、該螺設チューブと連通する導管３２と、該導管の末端に設けられるノズル３２０と、該導管の末端に着脱可能に取り付けられる封止蓋３３とを備える。【選択図】図２
0003169214.tif 000002
【実用新案登録請求の範囲】
【請求項１】
洗浄液容器と、液噴出装置とを有し、
前記洗浄液容器は、上端に延設される頚部と、該頚部の内部に形成されると共に、該洗浄液容器の内部と連通する上開口と、該頚部に着脱可能に取り付けられる上蓋と、該上蓋に形成される気圧調整孔と、該洗浄液容器の下端に形成される下ねじ山部と、該下ねじ山部の下端に形成される下開口とを備え、
前記液噴出装置は、該洗浄液容器の下端の下ねじ山部に螺設されると共に、周壁を有する螺設チューブと、該螺設チューブの周壁から斜め上方へ延出すると共に、該螺設チューブと連通する導管と、該導管の末端に設けられるノズルと、該導管の末端に着脱可能に取り付けられる封止蓋とを備えることを特徴とする鼻洗浄器。
【請求項２】
前記液噴出装置の螺設チューブは、周壁の内側に設けられるナットリングと、該ナットリングの内周面に形成される、前記洗浄液容器の下端の下ねじ山部と螺合する内ねじ山とを有し、
前記液噴出装置は、前記螺設チューブの導管及びノズルの内部に形成されると共に、該螺設チューブと連通する通路と、該導管の外周面におけるノズルの近傍に形成されると共に、前記封止蓋を螺設させるためのねじ山とを有することを特徴とする請求項１に記載の鼻洗浄器。
【請求項３】
前記螺設チューブの底部内側に、前記洗浄液の下開口と対応する内部突出リングが設けられることを特徴とする請求項２に記載の鼻洗浄器。
【請求項４】
前記封止蓋の内部上面に、前記ノズルの通路と対応する外径を有する止水制御部材が設けられることを特徴とする請求項３に記載の鼻洗浄器。
【請求項５】
前記導管の管壁に複数の凹入部が形成されることを特徴とする請求項４に記載の鼻洗浄器。
【請求項６】
前記洗浄液容器は略円筒状を呈し、
前記洗浄液容器の上端に形成される頚部は、小径の中空状であり、該洗浄液容器の内部と連通すると共に、上部に上開口を有し、
前記頚部は、その外周面にねじ山が形成され、
前記洗浄液容器の上蓋は、周壁の内側に形成されると共に、該洗浄液容器における頚部のねじ山と螺合する内ねじ山を有することを特徴とする請求項１乃至請求項５のいずれか一項に記載の鼻洗浄器。
【請求項７】
前記洗浄液容器の下端に形成される下ねじ山部は、小径の中空状を呈し、該洗浄液容器の内部と連通することを特徴とする請求項６に記載の鼻洗浄器。
【請求項８】
前記洗浄液容器の外周面の対向する位置にそれぞれ、やや内側へ入り込んだ２つの凹入壁部が形成されると共に、該２つの凹入壁部の表面にそれぞれ複数の突起部が設けられることを特徴とする請求項７に記載の鼻洗浄器。
【考案の詳細な説明】
【技術分野】
【０００１】
本考案は、特に衛生的であり、且つ簡単に鼻洗浄ができる鼻洗浄器に関するものである。
【背景技術】
【０００２】
鼻の洗浄は通常、鼻洗浄用塩水を一方の鼻腔に流入させ、もう一方の鼻腔から流出させるといった方法で行い、これによりアレルギー患者の症状を緩和させることができる。
【０００３】
市販の従来の鼻洗浄器は、例えば特許文献１、図５及び図６に示すように、容器５と、末端カバー部６と、制御部材７とから構成されるものである。
【０００４】
前記容器５は、内部に鼻洗浄用塩水を収容するためのものであり、上部に設けられる気孔を備える上蓋５１と、該容器５の底部に設けられると共に、前方斜め上方へ延出する導管５３とを有する。
【０００５】
前記末端カバー部６は、前記容器５の導管５３の前端に固設され、該末端カバー部６の前端に挿入管６１が延設され、該挿入管６１の前端にリング６２が凸設されると共に、該挿入管６１の前端の中央部に、前方に突出される小型の封止部材６３が設けられ、該封止部材６３の両側後端近傍にリブ体６４が形成され、該リブ体６４は挿入管６１の内周面に取り付けられ、これにより、該挿入管６１の内部のおける、封止部材６３の両側後端近傍に、通路６５が形成される。
【０００６】
前記制御部材７の前端中央部に、前記封止部材６３の挿入により封止できる貫通孔７１が設けられ、該貫通孔７１の後部に、前記挿入管６１の挿入孔と連通可能とするための挿入孔７２が延設され、該挿入孔７２の内周面の中央部に、所定の間隔を置いて２つの突出リング７３が設けられ、これにより、該２つの突出リング７３の間に、前記挿入管６１のリング６２と係止する環状凹入部７４が形成される。
【０００７】
図７に示すように、前記従来の鼻洗浄器においては、制御部材７を前記末端被覆部６へ回転させながら嵌め込めば、該挿入管６１の前端の封止部材６３により制御部材７における貫通孔７１の末端を封止することができる。また反対に、前記制御部材７を引っ張ると、前記挿入管６１の前端の封止部材６３が制御部材７の貫通孔７１の末端から外れるので、容器５内の鼻洗浄用塩水を、順に導管５３、通路６５、制御部材７の貫通孔７１を介して噴出させ、鼻洗浄を行うことができる。
【０００８】
また、鼻洗浄をする時は、前記制御部材７を鼻腔に押し当てるが、この時、制御部材７を後退させないために、該制御部材７を引っ張って、挿入管６１のリング６２を制御部材７の環状凹入部７４に位置決めさせる。
【先行技術文献】
【特許文献】
【０００９】
【特許文献１】台湾実用新案公告公報３７６７４７
【考案の概要】
【考案が解決しようとする課題】
【００１０】
しかしながら、従来の鼻洗浄器は、以下の欠点を有している。
【００１１】
１、使用上の利便性が悪い：例えば、前記特許文献１に記載の従来の鼻洗浄器においては、容器の底部に前方斜め上方へ延出するように導管が設けられ、該導管は小径の湾曲パイプであるので、清掃し難い箇所を有し、また、前記末端被覆部と容器及び制御部材とは、着脱が面倒であるので、各部材を分解して洗浄することが困難であり、更に、アレルギーを予防するために鼻腔を洗浄する前記従来の鼻洗浄器に用いる洗浄液（鼻洗浄用塩水）は、鼻腔に入る前に、完全には清掃できない容器、末端被覆部及び制御部材を通過することから、該従来の鼻洗浄器の目的に反し、使用者の健康を損なう可能性がある。
【００１２】
２、清潔保持が困難：前記特許文献１に記載の鼻洗浄器は、伸縮可能な制御部材を用いて、洗浄液の噴出及び部材の位置決めを制御するものであるが、鼻を洗浄する時、該制御部材が直接に鼻腔に接触することから、使用後には、該制御部材の清掃を直ちに行わなければならなく、更に、該制御部材は、長時間に亘り露出されることから、前回使用した後に清掃を済ませたにも関わらず、再び使用する時には、清掃し直さなくてはならないので、非常に不便であった。
【００１３】
３、加工が複雑：前記容器の導管の前端は、前記末端被覆部と結合するために凹入リング状を呈し、また、該末端被覆部の挿入管の前端には封止部材が形成されるが、該封止部材は、漏水を防ぐために、前記制御部材の貫通孔と精密に適合するものでなくてはならない。しかし、精密な結合が要求されるこれらの微小な部材の加工は複雑で非常にコストが高くついてしまう。更に、前記挿入管の前端の封止部材による制御部材の貫通孔の開閉は、該制御部材を回転させることにより制御するものであることから、該制御部材及び末端被覆部には特に高い加工技術が必要となる。また、もし互いに結合された該制御部材と末端被覆部との間に少しでも遊びができてしまうと、該制御部材を封止状態まで回転させても、該末端被覆部の挿入管の前端における封止部材により制御部材の貫通孔を完全に封止することができなく、逆に、該制御部材と末端被覆部との間に全く遊びがなく、必要以上に緊密な状態にしてしまうと、該制御部材を回転させて該貫通孔を開放することがし難くなってしまう。
【００１４】
そこで、案出されたのが本考案であって、衛生的であり、且つ簡単に鼻洗浄ができる鼻洗浄器を提供することを目的としている。
【課題を解決するための手段】
【００１５】
本願の請求項１の考案は、洗浄液容器と、液噴出装置とを有し、
前記洗浄液容器は、上端に延設される頚部と、該頚部の内部に形成されると共に、該洗浄液容器の内部と連通する上開口と、該頚部に着脱可能に取り付けられる上蓋と、該上蓋に形成される気圧調整孔と、該洗浄液容器の下端に形成される下ねじ山部と、該下ねじ山部の下端に形成される下開口とを備え、
前記液噴出装置は、該洗浄液容器の下端の下ねじ山部に螺設されると共に、周壁を有する螺設チューブと、該螺設チューブの周壁から斜め上方へ延出すると共に、該螺設チューブと連通する導管と、該導管の末端に設けられるノズルと、該導管の末端に着脱可能に取り付けられる封止蓋とを備えることを特徴とする鼻洗浄器、を提供する。
【００１６】
本願の請求項２の考案は、前記液噴出装置の螺設チューブは、周壁の内側に設けられるナットリングと、該ナットリングの内周面に形成される、前記洗浄液容器の下端の下ねじ山部と螺合する内ねじ山とを有し、
前記液噴出装置は、前記螺設チューブの導管及びノズルの内部に形成されると共に、該螺設チューブと連通する通路と、該導管の外周面におけるノズルの近傍に形成されると共に、前記封止蓋を螺設させるためのねじ山とを有することを特徴とする請求項１に記載の鼻洗浄器、を提供する。
【００１７】
本願の請求項３の考案は、前記螺設チューブの底部内側に、前記洗浄液の下開口と対応する内部突出リングが設けられることを特徴とする請求項２に記載の鼻洗浄器、を提供する。
【００１８】
本願の請求項４の考案は、前記封止蓋の内部上面に、前記ノズルの通路と対応する外径を有する止水制御部材が設けられることを特徴とする請求項３に記載の鼻洗浄器、を提供する。
【００１９】
本願の請求項５の考案は、前記導管の管壁に複数の凹入部が形成されることを特徴とする請求項４に記載の鼻洗浄器、を提供する。
【００２０】
本願の請求項６の考案は、前記洗浄液容器は略円筒状を呈し、
前記洗浄液容器の上端に形成される頚部は、小径の中空状であり、該洗浄液容器の内部と連通すると共に、上部に上開口を有し、
前記頚部は、その外周面にねじ山が形成され、
前記洗浄液容器の上蓋は、周壁の内側に形成されると共に、該洗浄液容器における頚部のねじ山と螺合する内ねじ山を有することを特徴とする請求項１乃至請求項５のいずれか一項に記載の鼻洗浄器、を提供する。
【００２１】
本願の請求項７の考案は、前記洗浄液容器の下端に形成される下ねじ山部は、小径の中空状を呈し、該洗浄液容器の内部と連通することを特徴とする請求項６に記載の鼻洗浄器、を提供する。
【００２２】
本願の請求項８の考案は、前記洗浄液容器の外周面の対向する位置にそれぞれ、やや内側へ入り込んだ２つの凹入壁部が形成されると共に、該２つの凹入壁部の表面にそれぞれ複数の突起部が設けられることを特徴とする請求項７に記載の鼻洗浄器、を提供する。
【考案の効果】
【００２３】
本考案は上記の課題を解決するものであり、洗浄液容器の上開口と下開口は、長手方向の同一軸上に位置し、湾曲部がないことから、死角を有しなく、単純な螺合手段で部材を組み立てることができるので、常に清潔に保つことができ、また、本考案に係る鼻洗浄器は、手で握持しながら、上蓋の気圧調整孔を開閉させることによって、洗浄液の噴出を制御するものであるので、操作方法が非常に簡単である。さらに、本考案に係る鼻洗浄器の液噴出装置に取り付けられる封止蓋は、清潔なノズルの汚染を防止することができるので、常に衛生的であると共に、該封止蓋の内部における上面の止水制御部材をノズルの通路に挿入させることにより、防塵効果及び漏れ防止効果をさらに向上させることができる。
【図面の簡単な説明】
【００２４】
【図１】本考案に係る鼻洗浄器の斜視図である。
【図２】本考案に係る鼻洗浄器の分解斜視図である。
【図３】本考案に係る鼻洗浄器の側面断面図である。
【図４】本考案に係る鼻洗浄器の平面断面図である。
【図５】特許文献１に係る鼻洗浄器の部分分解斜視図である。
【図６】特許文献１に係る鼻洗浄器における貫通孔を封止した状態を示す部分断面図である。
【図７】特許文献１に係る鼻洗浄器のにおける貫通孔を開放した状態を示す部分断面図である。
【考案を実施するための形態】
【００２５】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００２６】
図１及び図２に示すように、本考案に係る鼻洗浄器は、洗浄液容器１０と、上蓋２０と、液噴出装置３０とを有する。
【００２７】
図３に示すように、前記洗浄液容器１０は、略円筒状を呈すると共に、頚部１１を有し、該頚部１１は、該上端に延設され、小径の中空状であり、該洗浄液容器１０の内部と連通すると共に、上部に上開口を有し、該上開口は、前記長軸方向X上に位置すると共に、該頚部１１の内部に形成され、更に、該洗浄液容器１０の内部と連通している。また、前記頚部１１の外周面に、前記上蓋２０を頚部１１に着脱可能に取り付けるためのねじ山１１０が形成され、一方、該上蓋２０の周面に、前記洗浄液容器１０における頚部１１のねじ山１１０と螺合する内ねじ山が形成され、また、該上蓋２０には気圧調整孔２１が形成される。
【００２８】
前記洗浄液容器１０は、下端に形成される下ねじ山部１２と、該下ねじ山部１２の下端に形成される下開口とを備え、該下ねじ山部１２は、小径の中空状であり、該洗浄液容器１０の内部と連通し、該下開口は、同様に前記長軸方向Xに位置する。尚、本実施例において、前記洗浄液容器１０の上開口及び下開口は通常、該長軸方向X上に位置するものであるが、該長軸方向Xに平行した互いに異なる直線に位置しても構わなく、即ち、該上端と下端は必ずしも該長軸方向X上位置しなくてもよい。
【００２９】
図１及び図４に示すように、前記洗浄液容器１０の外周面の対向する位置にそれぞれ、２つの凹入壁部１３が形成され、該２つの凹入壁部１３の表面に複数の突起部１３０が設けられる。尚、握持し易くするために、前記洗浄液容器１０の外周面における、該２つの凹入壁部１３と対応する箇所が小径としてもよく、更に、前記複数の突起部１３０を用いれば、摩擦力がより高まるので、該鼻洗浄器を使用する時、確実に該洗浄液容器１０を握持して押し込むことができる。
【００３０】
図２及び図３に示すように、前記液噴出装置３０は、螺設チューブ３１と、導管３２と、封止蓋３３とを備える。
【００３１】
前記螺設チューブ３１は、周壁の内側に設けられるナットリング３１０と、該ナットリング３１０の内周面に形成される、前記洗浄液容器１０の下端の下ねじ山部１２と螺合する内ねじ山と、該螺設チューブ３１の底部内側に形成され、該洗浄液容器１０の下開口と対応する内部突出リング３１１とを有し、該洗浄液容器１０の下ねじ山部１２と螺合するナットリング３１０は第１の封止構造を備えると共に、該螺設チューブ３１の底部内側の内部突出リング３１１は、該洗浄液容器１０の下開口を確実に封止する第２の封止構造を備えるので、液噴出装置３０と洗浄液容器１０とを緊密に結合させることができる。
【００３２】
前記導管３２は、該螺設チューブ３１の周壁から斜め上方へ延出すると共に、該螺設チューブ３１と連通し、該液噴出装置３０はさらに、該導管３２の末端に設けられるノズル３２０と、該螺設チューブ３１の導管３２及びノズル３２０の内部に形成されると共に、該螺設チューブ３１と連通する通路３２１と、該導管３２の末端に着脱可能に取り付けられる封止蓋３３と、該導管３２の外周面におけるノズル３２０の近傍に形成されると共に、前記封止蓋３３を螺設するためのねじ山３２２とを備え、この構成によれば、該洗浄液容器１０の洗浄液を、該螺設チューブ３１及び通路３２１を通過させてノズル３２０から噴出させることができる。また、前記封止蓋３３の内部上面に、ノズル３２０における通路３２１の外径と対応する止水制御部材３３０が設けられる。
【００３３】
また、前記封止蓋３３と導管３２のねじ山３２２とは、螺合することにより、前記ノズル３２０を完全に封止することができ、さらに、該封止蓋３３の内部上面に形成される止水制御部材３３０をノズル３２０の通路３２１に挿入させると、漏れ防止効果をより向上させることができる。
【００３４】
なお、例えば、塩水などの洗浄液を前記洗浄液容器１０に注入する時は、前記封止蓋３３によりノズル３２０を完全に封止させることができるのみならず、該ノズル３２０の清潔状態を保持することでき、更に、前記導管３２の管壁に複数の凹入部３２３が形成されるので、洗浄液を節約できると共に、デザイン性にも優れている。
【００３５】
以下、本考案に係る鼻洗浄器の使用方法について説明する。
【００３６】
本考案に係る鼻洗浄器は、内部と外部との圧力差により洗浄液の噴出を制御するものであることから、例えば、鼻洗浄用塩水などの洗浄液を注入した洗浄液容器１０における上蓋２０の気圧調整孔２１を指で押さえれば、該洗浄液容器１０の内部と外部との圧力差により、前記液噴出装置３０から封止蓋３３を取り外しても、洗浄液がノズル３２０から噴出することはない。そして、前記気圧調整孔２１を開放すれば、前記洗浄液容器１０の内部圧力が変化し、洗浄液を該洗浄液容器１０から、前記液噴出装置３０の螺設チューブ３１及び導管３２を通過させてノズル３２０から噴出させ、鼻を洗浄をすることができる。
【産業上の利用可能性】
【００３７】
本考案は上記の構成を有するので、上述したように、使用上の利便性に優れるのみならず、以下に示すような利点も有する。
【００３８】
１、使用上の利便性に優れる：前記洗浄液容器の上開口と下開口は共に、長軸方向上に位置し、湾曲部がないことから、死角は存在しなく、単純な螺合手段を用いることにより、部材の組み立ても極めて容易であるので、清潔がし易い。
【００３９】
２、操作上の利便性に優れる：本考案に係る鼻洗浄器は、使用する前後に封止部材を取り付けまたは取り外す必要のある従来の鼻洗浄器とは異なり、手で握持しながら、指を用いて上蓋の気圧調整孔を開閉させることによって、洗浄液の噴出を制御するものであるので、操作が非常に簡単であり、また、前記洗浄液容器と上蓋及び液噴出装置、及び液噴出装置と封止蓋とは、螺合手段で結合されるので、部材同士の取り付け又は取り外しが容易である。さらに液噴出装置と洗浄液容器との間は、前記第１の封止構造及び第２の封止構造により緊密な結合状態を保持できる。上述したように、液噴出装置と封止蓋とは螺合手段により密接に結合されるだけでなく、前記止水制御部材によれば、より密封効果に優れるものであり、即ち、本考案に係る鼻洗浄器は、単純な構成からなるものであるが、封止効果や漏れ防止効果に優れるものである。
【００４０】
３、常に清潔を保持することができる：本考案に係る鼻洗浄器の液噴出装置に取り付けられる封止蓋は、清潔なノズルの汚染を防止することができるので、衛生が考慮されており、また、前記封止蓋の内部における上面の止水制御部材をノズルの通路に挿入させることにより、防塵効果及び漏れ防止効果をさらに向上させることができる。
【００４１】
４、加工が極めて容易である：本考案に係る鼻洗浄器の部材は単純な螺合手段で結合させるものであり、精密加工を要しないので、加工コストを低減させることができる。
【符号の説明】
【００４２】
１０    洗浄液容器
１１０  ねじ山
１１    頚部
１２    下ねじ山部
１３０  突起部
１３    凹入壁部
２０    上蓋
２１    気圧調整孔
３０    液噴出装置
３１０  ナットリング
３１１  内部突出リング
３１    螺設チューブ
３２０  ノズル
３２１  通路
３２２  ねじ山
３２３  凹入部
３２    導管
３３０  止水制御部材
３３    封止蓋
【図１】
0003169214.tif 000003
【図２】
0003169214.tif 000004
【図３】
0003169214.tif 000005
【図４】
0003169214.tif 000006
【図５】
0003169214.tif 000007
【図６】
0003169214.tif 000008
【図７】
0003169214.tif 000009